(57)【特許請求の範囲】
【請求項１】
鏡筒の先端にレンズ部が設けられた対物レンズと、
前記レンズ部の光軸の外周側に配設され、観察試料に当てる光を照射する照明装置と、を備え、
前記照明装置は、円盤状の有機ＥＬ照明からなり、前記レンズ部に近接して配置された光学顕微鏡であって、
前記円盤状の有機ＥＬ照明は、筒状に形成された保持筐体の一方側の開口を封鎖するように取り付けられ、
前記円盤状の有機ＥＬ照明からなる前記照明装置の中央部に貫通孔が形成され、
前記保持筐体の内方に前記対物レンズを収容配置した状態で、前記レンズ部が前記貫通孔に対応する位置にあることを特徴とする光学顕微鏡。
【請求項２】
請求項１に記載の光学顕微鏡であって、
前記円盤状の有機ＥＬ照明は、光を発する発光部が平面視で複数の分割発光部に分割されており、それぞれの分割発光部が個別に発光するように構成したことを特徴とする光学顕微鏡。
【請求項３】
請求項２に記載の光学顕微鏡であって、
前記複数の分割発光部同士に形成された空隙に、前記有機ＥＬ照明の電極の配線が配索されていることを特徴とする光学顕微鏡。
【発明の詳細な説明】
【技術分野】
【０００１】
本発明は、光学顕微鏡に関する。
【背景技術】
【０００２】
従来から、光学顕微鏡には、観察試料に光を照射する照明装置が設けられている（例えば、特許文献１参照）。この特許文献１に開示された照明装置は、有機ＥＬ照明を用いている。ここで、前記特許文献１に記載された有機ＥＬ照明は、鏡筒の側部に取り付けられており、鏡筒の内部にハーフミラーが収容されている。従って、有機ＥＬ照明から照射された光は、ハーフミラーで反射して鏡筒の内部を下方に向けて進行し、観察試料に当たる。
【先行技術文献】
【特許文献】
【０００３】
【特許文献１】特開平１１−１３５２５９号公報
【発明の概要】
【発明が解決しようとする課題】
【０００４】
しかしながら、前記特許文献１に記載の光学顕微鏡では、鏡筒の側部に有機ＥＬ照明が取り付けられているため、ハーフミラーが必要になって構造が複雑になるという問題があった。
【０００５】
そこで、本発明は、ハーフミラーが不要で簡素な構造を有する光学顕微鏡を提供することを目的としている。
【課題を解決するための手段】
【０００６】
本発明に係る光学顕微鏡は、鏡筒の先端にレンズ部が設けられた対物レンズと、レンズ部の光軸の外周側に配設され、観察試料に当てる光を照射する照明装置と、を備えている。前記照明装置は、円盤状の有機ＥＬ照明を有し、前記レンズ部に近接して配置されている。前記円盤状の有機ＥＬ照明は、筒状に形成された保持筐体の一方側の開口を封鎖するように取り付けられている。前記円盤状の有機ＥＬ照明からなる前記照明装置の中央部に貫通孔が形成されている。前記保持筐体の内方に前記対物レンズを収容配置した状態で、前記レンズ部が前記貫通孔に対応する位置にある。
【発明の効果】
【０００７】
本発明では、従来の光学顕微鏡のように、ハーフミラーを用いる必要がないため、光学顕微鏡の構造が簡素化される。また、ハーフミラーがないため、対物レンズの長さを短く設定することができる。
また、本発明では、対物レンズを保持筐体の内方に挿入すればよいため、対物レンズユニットの組み付け性が向上する。
【図面の簡単な説明】
【０００８】
【図１】本発明の実施形態に係る対物レンズユニットを示す斜視図である。
【図２】図１の一部を切断した斜視図である。
【図３】図１，２の保持筐体の断面を示す斜視図である。
【図４】図１の分解斜視図である。
【図５】（ａ）は図１の平面図であり、（ｂ）は図５（ａ）のＡ−Ａ線による断面図である。
【図６】本発明の実施形態に係る有機ＥＬ照明を示す斜視図である。
【図７】図６の有機ＥＬ照明の一部を切断した斜視図である。
【図８】図６の平面図であり、分割発光部の全てが発光していない状態を示す。
【図９】図６の平面図であり、分割発光部の全てが発光している状態を示す。
【図１０】図６の平面図であり、分割発光部のうちの右側半分が発光している状態を示す。
【図１１】図６の平面図であり、分割発光部のうちの外周側の部分が発光している状態を示す。
【発明を実施するための形態】
【０００９】
以下、本発明の実施の形態を図面に基づき説明する。なお、図面における対物レンズユニット、対物レンズ、保持筐体は、光学顕微鏡に装着する状態に対して上下方向を反対にして示している。
【００１０】
本発明の実施形態に係る対物レンズユニット１は、図１〜図５に示すように、対物レンズ３と、照明装置５と、保持筐体７と、を備えている。
【００１１】
前記対物レンズ３は、全体的に円柱状に形成された鏡筒９と、該鏡筒９の底面部１１に設けられたレンズ部１３と、から構成されている。
【００１２】
前記鏡筒９には、円形の底面部１１の中央に円形の挿通孔１５が形成されており、該挿通孔１５の内方に上下に重ねて２枚のレンズ１７，１９が配設されてレンズ部１３を構成している。また、鏡筒９の側面部２１における上下方向中央部には、周方向に沿って嵌合溝２３が形成されている。
【００１３】
前記照明装置５は、円盤状の有機ＥＬ照明２５であり、中央部に小さい貫通孔２７が形成されており、全体的に薄いリング状に形成されている。本実施形態では、全部で８つの分割発光部２９に分かれており、これらの分割発光部２９によって発光部３１が構成されている。また、図２および図５（ｂ）に示すように、レンズ部１３の光軸Ｌは、レンズ１７とレンズ１９との中心同士を通るように上下方向に沿って延びている。本実施形態に係る有機ＥＬ照明２５は、レンズ部１３の光軸Ｌの外周側で、かつ、レンズ１７に近接した位置に配設されている。なお、照明装置５の詳細構造は後述する。
【００１４】
前記保持筐体７は、円筒状の筐体本体３３と、該筐体本体３３の一端の周縁に形成された開口周縁部３５と、から構成されている。この開口周縁部３５の径方向内側の開口３７は円形であり、該開口３７から前記有機ＥＬ照明２５の発光部３１が露出するように構成される。具体的には、有機ＥＬ照明２５のリング状の周縁部が保持面３９に形成されており、保持筐体７の開口周縁部３５の保持溝４１に有機ＥＬ照明２５の保持面３９が嵌合されることにより、有機ＥＬ照明２５を保持筐体７の開口周縁部に保持することができる。このように、前記有機ＥＬ照明２５は、筒状に形成された保持筐体７の一方側の開口３７を封鎖するように取り付けられている。また、筐体本体３３の内面には、係合凸部４１が周方向に沿って形成されている。この係合凸部４１は、対物レンズ３の嵌合溝２３に係合されることによって、対物レンズ３が保持筐体７の内方に保持される。
【００１５】
次に、照明装置５としての有機ＥＬ照明２５について、図６〜図１１を用いて説明する。
【００１６】
図６，７に示すように、照明装置５である有機ＥＬ照明２５は、３層から構成される。具体的には、図６，７における表面側（上側）に配置される表面層５１と、該表面層５１に対して厚さ方向に間隔をおいて裏面側（下側）に配置される裏面層５３と、これらの表面層５１と裏面層５３との間に配置される中間層５５と、からなる。なお、図６，７における表面側（上側）は、光学顕微鏡に装着された状態における下側となり、図６，７における裏面側（下側）は、光学顕微鏡に装着された状態における上側となる。そして、表面層５１および裏面層５３は、透明な円盤状のガラス基板からなる。また、中間層５５は、有機ＥＬ素子５７であり、この有機ＥＬ素子５７は、図示は省略するが、陽極と有機発光層と陰極とから一体に構成される。
【００１７】
前述したように、照明装置５は、円盤状の有機ＥＬ照明２５であり、中央部に小さい貫通孔２７が形成されており、全体的に薄いリング状に形成されている。本実施形態では、全部で８つの分割発光部２９に分かれており、これらの分割発光部２９によって発光部３１が構成されている。具体的には、分割発光部２９は、内周側に配置された第１分割発光部６１、第２分割発光部６２、第３分割発光部６３、第４分割発光部６４と、外周側に配置された第５分割発光部６５、第６分割発光部６６、第７分割発光部６７、第８分割発光部６８と、から構成される。それぞれの分割発光部２９は、周方向に円弧状に湾曲して延びる帯状体の形状に形成されている。このように、光を発する発光部３１が平面視で複数の分割発光部２９に分割されており、それぞれの分割発光部２９が個別に発光する。なお、それぞれの分割発光部２９同士に形成された空隙を利用して、有機ＥＬ素子５７の陽極および陰極に配線を配索することができる。
【００１８】
次に、各分割発光部２９が発光するパターンの例を４パターン示す。
【００１９】
図８に示すように、第１のパターンは、第１〜第８分割発光部６１〜６８の全てが発光しない状態である。これは、観察試料に対して照明を当てない場合に用いられる。
【００２０】
図９に示すように、第２のパターンは、第１〜第８分割発光部６１〜６８の全てが発光する状態である。なお、分割発光部２９の点ハッチングは、発光している状態を示しており、空白部分は発光していない状態を示す。この場合は、レンズ部１３の外周側からリング状の照明が観察試料に対して発光される。
【００２１】
図１０に示すように、第３のパターンは、第１，２，５，６分割発光部６１，６２，６５，６６が発光する状態である。これは、発光部３１の右半分から照明が観察試料に対して発光される。
【００２２】
図１１に示すように、第４のパターンは、第５〜８分割発光部６５〜６８が発光する状態である。この場合、発光部３１の外周部分から照明が観察試料に対して発光される。
【００２３】
以下に、本発明の実施形態による作用効果を説明する。
【００２４】
（１）本発明の実施形態による光学顕微鏡は、鏡筒９の先端にレンズ部１３が設けられた対物レンズ３と、レンズ部１３の光軸Ｌの外周側に配設され、観察試料に当てる光を照射する照明装置５と、を備えている。前記照明装置５は、円盤状の有機ＥＬ照明２５を有し、前記レンズ部１３に近接して配置されている。
【００２５】
これによれば、従来技術のように、ハーフミラーを用いる必要がないため、光学顕微鏡の構造が簡素化される。また、対物レンズ３の長さを短く設定することができる。
【００２６】
（２）前記円盤状の有機ＥＬ照明２５は、光を発する発光部３１が平面視で複数の分割発光部２９に分割されており、それぞれの分割発光部２９が個別に発光するように構成した。
【００２７】
これによれば、所望する分割発光部２９のみを発光させることができる。
【００２８】
（３）前記有機ＥＬ照明２５は、筒状に形成された保持筐体７の一方側の開口３７を封鎖するように取り付けられ、この保持筐体７の内方に対物レンズ３を収容配置した。
【００２９】
これによれば、対物レンズ３を保持筐体７の内方に挿入すればよいため、対物レンズユニット１の組み付け性が向上する。
【符号の説明】
【００３０】
３  対物レンズ
５  照明装置
７  保持筐体
９  鏡筒
１３  レンズ部
２５  有機ＥＬ照明
２９  分割発光部
３１  発光部
３７  開口
【図１】
0005941124.tif 000002
【図２】
0005941124.tif 000003
【図３】
0005941124.tif 000004
【図４】
0005941124.tif 000005
【図５】
0005941124.tif 000006
【図６】
0005941124.tif 000007
【図７】
0005941124.tif 000008
【図８】
0005941124.tif 000009
【図９】
0005941124.tif 000010
【図１０】
0005941124.tif 000011
【図１１】
0005941124.tif 000012